【手続補正書】
【提出日】平成25年5月9日(2013.5.9)
【手続補正１】
【補正対象書類名】特許請求の範囲
【補正対象項目名】全文
【補正方法】変更
【補正の内容】
【特許請求の範囲】
【請求項１】
耳用デバイス用の圧力発生システムであって、前記システムは、
電気信号発生器と、
前記信号発生器に電気的に接続された第１の受信機（音響ドライバ）であって、前記信号発生器から受信される電気信号に応答して、音声信号を発生させることが可能である、第１の受信機と、
前記第１の受信機に連結された第１の音作動型ポンプであって、第１のモードにおいて、前記第１の受信機からの音声信号に応答して、出口ポートから空気を排出することが可能である、第１の音作動型ポンプと、
排出された空気によって充填される前記出口ポートに連結された膨張型部材であって、前記膨張型部材は、ユーザの外耳道内に位置付けるために好適である、膨張型部材と
を備えている、圧力発生システム。
【請求項２】
前記第１の音作動型ポンプは、
第１の基材および円錐形の開口部であって、前記開口部は、前記第１の基材を通り、前記出口ポートと整列している、第１の基材および円錐形の開口部と、
空気を前記開口部に方向付けるための入口ポートと、
出口管であって、第１端によって前記円錐形の開口部の狭窄端に流体連結された出口管と
を備えている、請求項１に記載の圧力発生システム。
【請求項３】
前記入口ポートに接続された管をさらに備えている、請求項２に記載の圧力発生システム。
【請求項４】
前記入口ポートは、前記基材を通過する、請求項３に記載の圧力発生システム。
【請求項５】
前記入口ポートは、前記基材の近位側にある、請求項３に記載の圧力発生システム。
【請求項６】
前記入口ポートは、前記基材の遠位側にある、請求項３に記載の圧力発生システム。
【請求項７】
前記第１の音作動型ポンプは、
隣接して積層された複数の基材であって、前記複数の基材のそれぞれは、基材を通る円錐形の開口部を備え、前記開口部は、前記第１の音作動型ポンプの出口ポートと整列している、複数の基材と、
空気を第１の開口部に方向付けるための入口ポートと、
出口管であって、第１端によって前記第１の音作動型ポンプの出口ポートに流体連結された出口管と
を備えている、請求項２に記載の圧力発生システム。
【請求項８】
前記入口ポートに接続された管をさらに備えている、請求項７に記載の圧力発生システム。
【請求項９】
前記入口ポートは、前記基材を通過する、請求項８に記載の圧力発生システム。
【請求項１０】
前記入口ポートは、前記基材の近位にある、請求項８に記載の圧力発生システム。
【請求項１１】
前記入口ポートは、前記基材の遠位にある、請求項８に記載の圧力発生システム。
【請求項１２】
基材の数は、３つ以下である、請求項７に記載の圧力発生システム。
【請求項１３】
隣接する基材の間に位置付けられた膜をさらに備えている、請求項７に記載の圧力発生システム。
【請求項１４】
前記膜は、少なくとも１つの細孔を備えている、請求項１３に記載の圧力発生システム。
【請求項１５】
前記少なくとも１つの細孔は、各隣接基材の前記開口部からオフセットされている、請求項１４に記載の圧力発生システム。
【請求項１６】
第１の基材の前記入口ポートに接続された管をさらに備え、前記入口ポートは、前記膜の近位にある、請求項１５に記載の圧力発生システム。
【請求項１７】
前記入口ポートは、前記第１の基材の近位にある、請求項１６に記載の圧力発生システム。
【請求項１８】
前記入口ポートは、前記第１の基材を通過する、請求項１６に記載の圧力発生システム。
【請求項１９】
前記膨張型部材の膨張および収縮を制御するために、前記入口ポート、前記出口管、および前記膨張型部材に接続されたルーティングマニホールドをさらに備えている、請求項２に記載の圧力発生システム。
【請求項２０】
前記ルーティングマニホールドは、周囲から前記入口ポートへ、および前記出口管から前記膨張型部材へ空気が方向付けられる膨張モードと、前記膨張型部材から前記入口ポートへ、および前記出口管から周囲へ空気が方向付けられる収縮モードとの間で、動作を切り替えることが可能である、請求項１９に記載の圧力発生システム。
【請求項２１】
前記膨張型部材の膨張および収縮を制御するために、前記第１の音作動型ポンプおよび前記膨張型部材に接続されたルーティングマニホールドをさらに備えている、請求項１に記載の圧力発生システム。
【請求項２２】
前記信号発生器に電気的に接続された第２の受信機（音響ドライバ）をさらに備え、前記第２の受信機は、前記信号発生器から受信された電気信号に応答して、音声出力信号を発生させることが可能である、請求項１に記載の圧力発生システム。
【請求項２３】
前記第２の受信機（音響ドライバ）は、前記第２の受信機の音声出力信号を方向付ける音響管に接続されている、請求項２２に記載の圧力発生システム。
【請求項２４】
前記膨張型部材は、前記音響管を介して前記出口ポートに連結されている、請求項２３に記載の圧力発生システム。
【請求項２５】
前記膨張型部材は、通路を画定する円環状であり、前記音響管は、前記膨張型部材の前記通路を通って延在する、請求項２３に記載の圧力発生システム。
【請求項２６】
前記第２の受信機（音響ドライバ）は、前記膨張型部材内に位置付けられている、請求項２２に記載の圧力発生ポンプ。
【請求項２７】
前記膨張型部材を前記第１の音作動型ポンプの出口ポートに接続する音響管をさらに備えている、請求項１に記載の圧力発生システム。
【請求項２８】
前記膨張型部材は、通路を画定する円環状であり、前記音響管は、前記膨張型部材の前記通路を通って延在する、請求項２７に記載の圧力発生システム。
【請求項２９】
前記電気信号発生器、前記第１の受信機（音響ドライバ）、および前記第１の音作動型ポンプは、筐体内で固定され、前記筐体は、前記膨張型部材の前記通路内に位置付けられている、請求項２８に記載の圧力発生ポンプ。
【請求項３０】
前記信号発生器に電気的に接続された第２の受信機（音響ドライバ）をさらに備え、前記第２の受信機は、前記信号発生器から受信された電気信号に応答して、音声出力信号を発生させることが可能であり、前記第２の受信機は、それを通して前記第２の受信機の音声出力信号が方向付けられる前記音響管に接続されている、請求項２７に記載の圧力発生システム。
【請求項３１】
前記膨張型部材は、前記第１の音作動型ポンプの出口ポートから取り外し可能である、請求項１に記載の圧力発生システム。
【請求項３２】
前記電気信号発生器、前記第１の受信機（音響ドライバ）、および前記第１の音作動型ポンプは、筐体内で固定され、前記膨張型部材は、前記筐体に取り外し可能に接続されている、請求項１に記載の圧力発生ポンプ。
【請求項３３】
前記電気信号発生器、前記第１の受信機（音響ドライバ）、および前記第１の音作動型ポンプは、筐体内で固定され、前記筐体は、前記膨張型部材内に位置付けられている、請求項１に記載の圧力発生ポンプ。
【請求項３４】
インピーダンス整合構成をさらに備えている、請求項１に記載の圧力発生ポンプ。
【請求項３５】
前記インピーダンス整合構成は、前記膨張型部材の機械的柔軟性を備えている、請求項３４に記載の圧力発生ポンプ。
【請求項３６】
前記第１の音作動型ポンプは、吸気ストロークおよび排気ストロークを有する動作サイクルを備え、前記吸気ストロークは、動作サイクル時間の約６０から約９９％の範囲を備えている、請求項１に記載の圧力発生ポンプ。
【請求項３７】
前記吸気ストロークは、前記動作サイクル時間の約９５％を備えている、請求項３６に記載の圧力発生ポンプ。
【請求項３８】
前記動作サイクルは、可逆的である、請求項３６に記載の圧力発生ポンプ。
【請求項３９】
前記第１の受信機からの音声信号は、鋸歯状波形を備えている、請求項１に記載の圧力発生ポンプ。
【請求項４０】
前記鋸歯状波形は、非対称である、請求項３９に記載の圧力発生ポンプ。
【請求項４１】
前記鋸歯状波形は、可逆的である、請求項４０に記載の圧力発生ポンプ。
【請求項４２】
前記膨張型部材に連結された圧力センサをさらに備えている、請求項１に記載の圧力発生ポンプ。
【請求項４３】
前記圧力センサは、送出を調節するために、前記第１の音作動型ポンプに連結されている、請求項４２に記載の圧力発生ポンプ。
【請求項４４】
前記膨張型部材の膨張を制御するために、フィードバック機構をさらに備えている、請求項１に記載の圧力発生ポンプ。
【請求項４５】
前記フィードバック機構は、前記膨張型部材内の圧力を決定するための圧力センサを備えている、請求項４４に記載の圧力発生ポンプ。
【請求項４６】
前記圧力センサは、送出を調節するために、前記第１の音作動型ポンプに連結されている、請求項４５に記載の圧力発生ポンプ。
【請求項４７】
前記フィードバック機構は、前記第１の音作動型ポンプに接続されたフィードバック・サーボ回路を備えている、請求項４４に記載の圧力発生ポンプ。
【請求項４８】
前記第１の音作動型ポンプは、第２のモードにおいて、前記出口ポートを通して前記ポンプの中へ空気を引き込むことが可能である、請求項１に記載の圧力発生ポンプ。
【手続補正２】
【補正対象書類名】明細書
【補正対象項目名】００１９
【補正方法】変更
【補正の内容】
【００１９】
本発明の実施形態では、ダイアフォニック（音駆動型）送出デバイスの設計、製造、および稼働機構も開示される。このデバイスは、補聴器および高性能オーディオイヤホンで現在使用されている種類の既存の平衡電機子音声トランスデューサと共に稼働する。代替として、このデバイスはまた、ヘッドホン、ヘッドセット、およびイヤホンで現在使用されている種類の既存の可動コイルスピーカと共に稼働することもできる。本発明のデバイスは、聴取者の耳の中の膨張型部材を膨張させるように空気ポンプの役割を果たすとともに、また、トランスデューサがオーディオ材料を再生する従来の機能を果たすことも可能にする。膨張型部材（気泡またはバルーン）は、本発明のダイアフォニックポンプによって膨張させられると、快適で調整可能かつ可変な耳の密閉を生じ、外耳道と連動して、安全で快適かつ豊富なサウンディングおよび音声の高忠実度再生のための可変容量共鳴チャンバを生じる。
本願明細書は、例えば、以下の項目も提供する。
（項目１）
耳用デバイス用の圧力発生システムであって、
電気信号発生器と、
前記信号発生器に電気的に接続された第１の受信機（音響ドライバ）であって、前記信号発生器から受信される電気信号に応答して、音声信号を発生させることが可能である、第１の受信機と、
前記第１の受信機に連結された第１の音作動型ポンプであって、第１のモードにおいて、前記第１の受信機からの音声信号に応答して、出口ポートから空気を排出することが可能である、第１の音作動型ポンプと、
排出された空気によって充填される前記出口ポートに連結された膨張型部材であって、前記膨張型部材は、ユーザの外耳道内に位置付けるために好適である、膨張型部材と
を備えている、圧力発生システム。
（項目２）
前記第１の音作動型ポンプは、
第１の基材および円錐形の開口部であって、前記開口部は、前記第１の基材を通り、前記出口ポートと整列している、第１の基材および円錐形の開口部と、
空気を前記開口部に方向付けるための入口ポートと、
出口管３８であって、第１端によって前記円錐形の開口部の狭窄端に流体連結された出口管３８と
を備えている、項目１に記載の圧力発生システム。
（項目３）
前記入口ポートに接続された管をさらに備えている、項目２に記載の圧力発生システム。
（項目４）
前記入口ポートは、前記基材を通過する、項目３に記載の圧力発生システム。
（項目５）
前記入口ポートは、前記基材の近位側にある、項目３に記載の圧力発生システム。
（項目６）
前記入口ポートは、前記基材の遠位側にある、項目３に記載の圧力発生システム。
（項目７）
前記第１の音作動型ポンプは、
隣接して積層された複数の基材であって、前記複数の基材のそれぞれは、基材を通る円錐形の開口部を備え、前記開口部は、前記第１の音作動型ポンプの出口ポートと整列している、複数基材と、
空気を第１の開口部に方向付けるための入口ポートと、
出口管３８であって、第１端によって前記第１の音作動型ポンプの出口ポートに流体連結された出口管３８と
を備えている、項目２に記載の圧力発生システム。
（項目８）
前記入口ポートに接続された管をさらに備えている、項目７に記載の圧力発生システム。
（項目９）
前記入口ポートは、前記基材を通過する、項目８に記載の圧力発生システム。
（項目１０）
前記入口ポートは、前記基材の近位にある、項目８に記載の圧力発生システム。
（項目１１）
前記入口ポートは、前記基材の遠位にある、項目８に記載の圧力発生システム。
（項目１２）
基材の数は、３つ以下である、項目７に記載の圧力発生システム。
（項目１３）
隣接する基材の間に位置付けられた膜をさらに備えている、項目７に記載の圧力発生システム。
（項目１４）
前記膜は、少なくとも１つの細孔を備えている、項目１３に記載の圧力発生システム。
（項目１５）
前記少なくとも１つの細孔は、各隣接基材の前記開口部からオフセットされている、項目１４に記載の圧力発生システム。
（項目１６）
第１の基材の前記入口ポートに接続された管をさらに備え、前記入口ポートは、前記膜の近位にある、項目１５に記載の圧力発生システム。
（項目１７）
前記入口ポートは、前記第１の基材の近位にある、項目１６に記載の圧力発生システム。
（項目１８）
前記入口ポートは、前記第１の基材を通過する、項目１６に記載の圧力発生システム。
（項目１９）
前記膨張型部材の膨張および収縮を制御するために、前記第１の音作動型ポンプおよび前記膨張型部材に接続されたルーティングマニホールドをさらに備えている、項目１に記載の圧力発生システム。
（項目２０）
前記膨張型部材の膨張および収縮を制御するために、前記入口ポート、前記出口管３８、および前記膨張型部材に接続されたルーティングマニホールドをさらに備えている、項目２に記載の圧力発生システム。
（項目２１）
前記ルーティングマニホールドは、周囲から前記入口ポートへ、および前記出口管３８から前記膨張型部材へ空気が方向付けられる膨張モードと、前記膨張型部材から前記入口ポートへ、および前記出口管３８から周囲へ空気が方向付けられる、収縮モードとの間で、動作を切り替えることが可能である、項目２０に記載の圧力発生システム。
（項目２２）
前記信号発生器に電気的に接続された第２の受信機（音響ドライバ）をさらに備え、前記第２の受信機は、前記信号発生器から受信された電気信号に応答して、音声出力信号を発生させることが可能である、項目１に記載の圧力発生システム。
（項目２３）
前記第２の受信機（音響ドライバ）は、前記第２の受信機の音声出力信号を方向付ける音響管に接続されている、項目２２に記載の圧力発生システム。
（項目２４）
前記膨張型部材は、前記音響管を介して前記出口ポートに連結されている、項目２３に記載の圧力発生システム。
（項目２５）
前記膨張型部材は、通路を画定する円環状であり、前記音響管は、前記膨張型部材の前記通路を通って延在する、項目２３に記載の圧力発生システム。
（項目２６）
前記膨張型部材を前記第１の音作動型ポンプの出口ポートに接続する音響管をさらに備えている、項目１に記載の圧力発生システム。
（項目２７）
前記膨張型部材は、通路を画定する円環状であり、前記音響管は、前記膨張型部材の前記通路を通って延在する、項目２６に記載の圧力発生システム。
（項目２８）
前記信号発生器に電気的に接続された第２の受信機（音響ドライバ）をさらに備え、前記第２の受信機は、前記信号発生器から受信された電気信号に応答して、音声出力信号を発生させることが可能であり、それを通して前記第２の受信機の音声出力信号が方向付けられる前記音響管に接続されている、項目２６に記載の圧力発生システム。
（項目２９）
前記膨張型部材は、前記第１の音作動型ポンプの出口ポートから取り外し可能である、項目１に記載の圧力発生システム。
（項目３０）
前記電気信号発生器、前記第１の受信機（音響ドライバ）、および前記第１の音作動型ポンプは、筐体内で固定され、前記膨張型部材は、前記筐体に取り外し可能に接続されている、項目１に記載の圧力発生ポンプ。
（項目３１）
前記電気信号発生器、前記第１の受信機（音響ドライバ）、および前記第１の音作動型ポンプは、筐体内で固定され、前記筐体は、前記膨張型部材内に位置付けられている、項目１に記載の圧力発生ポンプ。
（項目３２）
前記電気信号発生器、前記第１の受信機（音響ドライバ）、および前記第１の音作動型ポンプは、筐体内で固定され、前記筐体は、前記膨張型部材の前記通路内に位置付けられている、項目２７に記載の圧力発生ポンプ。
（項目３３）
前記第２の受信機（音響ドライバ）は、前記膨張型部材内に位置付けられている、項目２２に記載の圧力発生ポンプ。
（項目３４）
インピーダンス整合構成をさらに備えている、項目１に記載の圧力発生ポンプ。
（項目３５）
前記インピーダンス整合構成は、前記膨張型部材の機械的柔軟性を備えている、項目３４に記載の圧力発生ポンプ。
（項目３６）
前記第１の音作動型ポンプは、吸気ストロークおよび排気ストロークを有する動作サイクルを備え、前記吸気ストロークは、動作サイクル時間の約６０から約９９％の範囲を備えている、項目１に記載の圧力発生ポンプ。
（項目３７）
前記吸気ストロークは、前記動作サイクル時間の約９５％を備えている、項目３６に記載の圧力発生ポンプ。
（項目３８）
前記動作サイクルは、可逆的である、項目３６に記載の圧力発生ポンプ。
（項目３９）
前記第１の受信機からの音声信号は、鋸歯状波形を備えている、項目１に記載の圧力発生ポンプ。
（項目４０）
前記鋸歯状波形は、非対称である、項目３９に記載の圧力発生ポンプ。
（項目４１）
前記鋸歯状波形は、可逆的である、項目４０に記載の圧力発生ポンプ。
（項目４２）
前記膨張型部材に連結された圧力センサをさらに備えている、項目１に記載の圧力発生ポンプ。
（項目４３）
前記圧力センサは、送出を調節するために、前記第１の音作動型ポンプに連結されている、項目４２に記載の圧力発生ポンプ。
（項目４４）
前記膨張型部材の膨張を制御するために、フィードバック機構をさらに備えている、項目１に記載の圧力発生ポンプ。
（項目４５）
前記フィードバック機構は、前記膨張型部材内の圧力を決定するための圧力センサを備えている、項目４４に記載の圧力発生ポンプ。
（項目４６）
前記圧力センサは、送出を調節するために、前記第１の音作動型ポンプに連結されている、項目４５に記載の圧力発生ポンプ。
（項目４７）
前記フィードバック機構は、前記第１の音作動型ポンプに接続されたフィードバック・サーボ回路を備えている、項目４４に記載の圧力発生ポンプ。
（項目４８）
前記第１の音作動型ポンプは、第２のモードにおいて、前記出口ポートを通して前記ポンプの中へ空気を引き込むことが可能である、項目１に記載の圧力発生ポンプ。
（項目４９）
個人の外耳道の中に配置するための挿入型イヤモールドであって、
軟質弾性外側材料でできている変形可能な筐体であって、内部空間を画定する筐体と、
前記内部空間内に位置付けられた音声受信機であって、前記音声受信機は、前記変形可能な筐体の表面上の音声ポート開口を有し、前記音声ポートを介して音声信号を捕捉することが可能である、音声受信機と、
前記内部空間内に位置付けられたプロセッサであって、前記音声受信機に電気的に連結されたプロセッサと、
前記内部空間内に位置付けられた電源であって、前記プロセッサに電気的に接続された電源と、
前記内部空間内に位置付けられた音響管であって、前記音響管は、前記受信機に電気的に連結され、ポートがユーザの耳の中の鼓膜に近接して配置され得るように、前記変形可能な筐体の表面上の一端部開口において前記ポートを有している、音響管と、
前記内部空間内に位置付けられた音作動型ポンプであって、前記音作動型ポンプは、前記受信機に連結され、前記第１の受信機からの音声信号に応答して、出口ポートから空気を排出することが可能である、音作動型ポンプと、
前記内部空間内に位置付けられた膨張型部材であって、排出された空気によって充填される前記出口ポートに連結された膨張型部材と
を備え、前記音声受信機で受信される音声信号は、前記音作動型ポンプを駆動して前記膨張型部材を膨張させるように、前記プロセッサを介して方向付けられる、
イヤモールド。
（項目５０）
筐体と、
全ての側面において閉鎖されたチャンバであって、前記チャンバは、前記筐体内に位置付けられ、前記チャンバの側面は、開口部を有するダイヤフラムを備え、側面は、前記筐体の表面を通って延在する出口ポートを含む、チャンバと、
前記筐体の表面において画定される入口ポートと、
前記ダイヤフラムに連結されたアクチュエータであって、前記アクチュエータの動作は、前記ダイヤフラムの振動運動を引き起こす、アクチュエータと
を備えている、音作動型ポンプ。
（項目５１）
前記ダイヤフラムの前記振動運動は、対称である、項目５０に記載の音作動型ポンプ。
（項目５２）
前記ダイヤフラムの前記振動運動は、非対称である、項目５０に記載の音作動型ポンプ。
（項目５３）
前記ダイヤフラムの前記振動運動は、可逆的である、項目５２に記載の音作動型ポンプ。
（項目５４）
前記開口部は、円錐形である、項目５１に記載の音作動型ポンプ。
（項目５５）
前記開口部は、円錐形である、項目５２に記載の音作動型ポンプ。
（項目５６）
前記アクチュエータは、平衡電機子または可動コイルスピーカのうちの１つを備えている、項目５０に記載の音作動型ポンプ。
（項目５７）
前記入口ポートにおいて逆止め弁をさらに備えている、項目５０に記載の音作動型ポンプ。
（項目５８）
前記出口ポートにおいて逆止め弁をさらに備えている、項目５０に記載の音作動型ポンプ。
（項目５９）
前記出口ポートにおいて逆止め弁をさらに備えている、項目５７に記載の音作動型ポンプ。
（項目６０）
前記逆止め弁は、前記入口ポートにおいて前記筐体内に取り付けられた可撓性膜であり、前記可撓性膜は、前記入口ポートからオフセットされた開口を有している、項目５７に記載の音作動型ポンプ。
（項目６１）
前記チャンバの前記開口部において逆止め弁をさらに備えている、項目５０に記載の音作動型ポンプ。
（項目６２）
内部チャンバを画定する筐体と、
開口部を有する膜であって、前記膜は、前記内部チャンバを横断して延在することにより、前記チャンバを第１および第２のサブチャンバに分ける、膜と、
前記第１のサブチャンバの壁から延在する第１の流量ポートと、
前記第２のサブチャンバの壁から延在する第２の流量ポートと、
第１の位相で前記第１のサブチャンバに送達される第１のトランスデューサ音波と、
第２の位相で前記第２のサブチャンバに送達される第２のトランスデューサ音波と
を備え、
前記第１の音波の前記第１の位相および前記第２の音波の前記第２の位相は、前記第１または第２の流量ポートのうちの一方から前記第１または第２の流量ポートのうちの他方に向かって正味流体流動を産生するように操作される、
音作動型ポンプ。
（項目６３）
前記流体流動は、可逆的である、項目６２に記載の音作動型ポンプ。
（項目６４）
操作された前記第１の位相および第２の位相は、前記膜の振動運動を生成する、項目６２に記載の音作動型ポンプ。
（項目６５）
前記膜の前記振動運動は、対称である、項目６４に記載の音作動型ポンプ。
（項目６６）
前記膜の前記振動運動は、非対称である、項目６４に記載の音作動型ポンプ。
（項目６７）
前記ダイヤフラムの前記非対称振動運動は、可逆的である、項目６６に記載の音作動型ポンプ。
（項目６８）
前記膜の開口部は、円錐形である、項目６２に記載の音作動型ポンプ。
（項目６９）
前記膜の開口部は、円錐形である、項目６５に記載の音作動型ポンプ。
（項目７０）
前記第１のトランスデューサ音波は、前記第１のサブチャンバに連結された第１のトランスデューサによって産生され、前記第２のトランスデューサ音波は、前記第２のサブチャンバに連結された第２のトランスデューサによって産生される、項目６２に記載の音作動型ポンプ。
（項目７１）
前記第１のトランスデューサ音波および前記第２のトランスデューサ音波は、同じトランスデューサによって産生される、項目６２に記載の音作動型ポンプ。
（項目７２）
位相差を最適化するために、前記トランスデューサを前記２つのサブチャンバのそれぞれに連結する音声送達管をさらに備えている、項目７１に記載の音作動型ポンプ。
（項目７３）
ダイアフォニックイヤアセンブリであって、
開放端および閉鎖端を有する筐体と、
前記閉鎖端において前記筐体に連結された加圧手段であって、第１の方向に流体を送達することが可能である加圧手段と、
前記閉鎖端において前記筐体の中に位置付けられ、前記加圧手段に接続された線形アクチュエータであって、前記加圧手段が第１の方向に流体を送達することに応答して、第１の位置から第２の位置への移動が可能である、アクチュエータと、
前記アクチュエータに取り付けられ、前記筐体内に位置付けられた音声トランスデューサであって、出口ポートを通して空気を排出することが可能なポンプを有するトランスデューサと、
前記音声トランスデューサの前記出口ポートに連結された音響管と、
前記音響管に連結され、前記筐体内に位置付けられた収縮部材であって、前記収縮部材は、排出された空気によって膨張することが可能であり、ユーザの外耳道内に位置付けるために好適であり、前記収縮部材は、前記アクチュエータが前記第２の位置に移動すると、
前記筐体から外へ移動させられる、収縮部材と
を備えている、アセンブリ。
（項目７４）
前記収縮部材は、前記筐体から外へ移動させられると自動的に膨張する、項目７３に記載のアセンブリ。
（項目７５）
前記加圧手段は、前記第１の方向とは反対側の第２の方向に流体を送達することが可能である、項目７３に記載のアセンブリ。
（項目７６）
前記アクチュエータは、前記加圧手段が前記第２の方向に流体を送達することに応答して、前記第２の方向から前記第１の方向への移動が可能である、項目７５に記載のアセンブリ。
（項目７７）
前記収縮部材は、前記アクチュエータが前記第１の位置に移動すると、前記筐体の中へ入れられる、項目７６に記載のアセンブリ。
（項目７８）
前記加圧手段は、音作動型ポンプを備えている、項目７３に記載のアセンブリ。
（項目７９）
前記筐体は、円筒形である、項目７３に記載のアセンブリ。
（項目８０）
前記線形アクチュエータは、空気圧シリンダと、前記シリンダ内を移動するピストンとを備えている、項目７３に記載のアセンブリ。
（項目８１）
前記加圧手段は、前記第１の方向および前記第２の方向に流体を送達することの間で可逆的である、項目７５に記載のアセンブリ。
（項目８２）
前記線形アクチュエータは、前記シリンダ内で前記ピストンの底部に取り付けられた膨張型スカートと、段階的ニードル弁とをさらに備え、前記段階的ニードル弁は、前記加圧手段に接続され、前記スカートを通り、前記ピストンの前記底部のポートを介して前記ピストンの中へ延在し、前記段階的ニードル弁は、端より下に通気口を有し、前記ポートの直径は、前記通気口を過ぎた点において前記針の直径よりも大きい、項目８０に記載のアセンブリ。
（項目８３）
前記ピストンは、一方の端において前記ポートと、もう一方の端において前記収縮部材と整列した通路を備えている、項目８２に記載のアセンブリ。
（項目８４）
前記アクチュエータに送達される前記流体は、前記通路を介して前記収縮部材に送られる、項目８３に記載のアセンブリ。
（項目８５）
ユーザの外耳道内で耳用音声デバイスを膨張させる方法であって、
前記ユーザの外耳道内に膨張型部材を配置するステップであって、前記膨張型部材は、電気信号発生器と、電源と、音作動型ポンプを有する音声トランスデューサとに接続されている、ステップと、
前記電気信号発生器によって電気信号を発生させるステップと、
前記電気信号に応答して、前記音声トランスデューサによって音声信号を発生させるステップと、
前記音声信号に応答して、サイクルで動作するように前記ポンプを作動させるステップであって、前記動作サイクルは、
前記ポンプの入口ポートにおいて空気を引き込むステップと、
前記ポンプの出口ポートから前記空気を排出するステップと
を含む、ステップと、
前記出口ポートに連結された前記膨張型部材において、排出された前記空気を捕捉するステップと
を含み、
前記膨張型部材は、前記ユーザの外耳道内に前記部材を固定するまで膨張する、
方法。
（項目８６）
前記音声信号をユーザの耳（鼓膜）に伝達するステップをさらに含む、項目８５に記載の方法。
（項目８７）
前記電気信号に応答して、第２の音声信号を発生させるステップと、前記第２の音声信号をユーザの耳（鼓膜）に伝達するステップとをさらに含む、項目８５に記載の方法。
（項目８８）
前記膨張型部材を配置するステップは、空気の量が前記部材と前記ユーザの鼓膜との間に存在するように、前記部材を位置付けるステップを含む、項目８５に記載の方法。
（項目８９）
前記空気の量は、第１のインピーダンスを有し、前記膨張型部材において捕捉された空気は、第２のインピーダンスを有し、前記方法はさらに、前記第１および第２のインピーダンスを整合させるステップを含む、項目８８に記載の方法。
（項目９０）
前記第１および第２のインピーダンスを整合させるステップは、前記膨張型部材の機械的柔軟性を含む、項目８９に記載の方法。
（項目９１）
前記ポンプサイクルの引き込むステップは、前記動作サイクルの時間の約６０から約９９％の範囲を含む、項目８５に記載の方法。
（項目９２）
前記引き込むステップは、前記動作サイクルの時間の約９５％を含む、項目９１に記載の方法。
（項目９３）
前記ポンプサイクルは、前記出口ポートに流入する空気流と、前記入口ポートから流出する空気流とに逆転させるように、可逆的である、項目８５に記載の方法。
（項目９４）
前記ポンプを作動させる発生された前記音声信号は、鋸歯状波形を備え、前記ポンプの動作サイクルは、前記波形のサイクルに対応する、項目８５に記載の方法。
（項目９５）
前記鋸歯状波形は、非対称である、項目９４に記載の方法。
（項目９６）
前記非対称鋸歯状波形は、可逆的である、項目９５に記載の方法。
（項目９７）
前記ポンプの動作サイクルを調節するステップをさらに含む、項目８５に記載の方法。
（項目９８）
前記ポンプの動作サイクルを調節するステップは、前記膨張型部材に連結された圧力センサを備え、前記センサは、所定の圧力測定値において前記音声信号を改変するように信号を送信することが可能である、項目９７に記載の方法。
（項目９９）
前記膨張型部材の膨張を制御するために、フィードバック機構をさらに備えている、項目８５に記載の方法。
（項目１００）
前記フィードバック機構は、前記膨張型部材内の圧力を決定するための圧力センサを備えている、項目９９に記載の方法。
（項目１０１）
前記フィードバック機構は、前記ポンプ、前記電気信号発生器、または前記音声トランスデューサのうちの１つに接続されたフィードバック・サーボ回路を備えている、項目９９に記載の方法。
（項目１０２）
音声をユーザの耳に伝達するためのデバイスであって、
電気信号に応答して、音声信号（トーン）を産生することが可能な第１のトランスデューサと、
前記トランスデューサに接続された電気信号入力と、
内部空間を画定する側壁を有し、ユーザの外耳道内に位置付けるように構成された膨張型部材と、
側壁および対向端を有する第１の音響管であって、前記第１の音響管は、一方の端において前記トランスデューサに接続され、反対端において前記膨張型部材に接続され、前記音響管の内部から前記音響管の外部まで、前記音響管の中に画定される通路を有し、前記音響管の前記通路は、前記膨張型部材の内部空間内に位置付けられている、第１の音響管と
を備えている、デバイス。
（項目１０３）
前記通路は、前記音響管の側面内に画定される開口を備えている、項目１０２に記載のデバイス。
（項目１０４）
前記開口は、少なくとも１つのポートを備えている、項目１０３に記載のデバイス。
（項目１０５）
前記音響管は、第１の管状セクションであって、直径を有し、一方の端において前記トランスデューサに取り付けられた第１の管状セクションと、前記第１の管状セクションの直径よりも小さい直径を有する第２の管状セクションとを備え、前記第２の管状セクションは、前記第１の管状セクションの中に嵌まり、前記ユーザの外耳道の中に配置された場合に、前記第１の管状セクションから前記ユーザの鼓膜に向かって延在する、項目１０３に記載のデバイス。
（項目１０６）
前記音響管は、間隙を作成するために、前記第１の管状セクションと前記第２の管状セクションとの間に配置された複数のスペーサを備え、前記開口は、前記間隙をさらに備えている、項目１０５に記載のデバイス。
（項目１０７）
前記トランスデューサは、前記膨張型部材の内部空間内に封入されている、項目１０２に記載のデバイス。
（項目１０８）
前記音響管は、前記膨張型部材の内部空間内に封入されている、項目１０２に記載のデバイス。
（項目１０９）
前記音響管は、前記側壁において画定される複数のポートを備えている、項目１０２に記載のデバイス。
（項目１１０）
前記ポートの数は、２から１２の範囲である、項目１０９に記載のデバイス。
（項目１１１）
前記ポートの数は、６である、項目１１０に記載のデバイス。
（項目１１２）
前記ポートは、前記管の縦軸に対して直角な単一の平面内で、前記管の側壁の周囲で均等に離間されている、項目１１１に記載のデバイス。
（項目１１３）
前記複数のポートは、前記管の縦軸に対して直角な単一の平面内で、前記管の側壁の周囲で離間されている、項目１０９に記載のデバイス。
（項目１１４）
前記複数のポートは、前記管の縦軸に対して直角な複数の平面内で、前記管の側壁の周囲で離間されている、項目１０９に記載のデバイス。
（項目１１５）
前記音響管は、前記膨張型部材の内部空間内に封入されている、項目１１２に記載のデバイス。
（項目１１６）
前記音響管は、前記膨張型部材の内部空間内に封入されている、項目１１３に記載のデバイス。
（項目１１７）
前記トランスデューサは、第１のトーンおよび第２のトーンを産生する、項目１０２に記載のデバイス。
（項目１１８）
前記第１のトーンおよび前記第２のトーンは、交互に産生される、項目１１７に記載のデバイス。
（項目１１９）
前記第１のトーンおよび前記第２のトーンは、同時に産生される、項目１１７に記載のデバイス。
（項目１２０）
前記トランスデューサは、前記第１のトーンまたは前記第２のトーンのうちの少なくとも１つを受信し、それに応答して、空気流を産生するための音作動型ポンプを備えている、項目１１８に記載のデバイス。
（項目１２１）
前記トランスデューサは、前記音声信号を受信し、それに応答して、空気流を産生するための音作動型ポンプを備えている、項目１０２に記載のデバイス。
（項目１２２）
前記空気流は、前記膨張型部材を膨張させるために、前記音響管の中へ方向付けられ、前記通路を通過する、項目１２０に記載のデバイス。
（項目１２３）
前記空気流は、前記ユーザの外耳道から前記音響管の中へ、および前記通路を通って前記膨張型部材の中へ方向付けられる、項目１２０に記載のデバイス。
（項目１２４）
前記空気流は、前記膨張型部材を収縮させるために、前記膨張部材から前記通路を通って前記音響管の中へ方向付けられる、項目１２０に記載のデバイス。
（項目１２５）
前記音声ポンプは、前記第１のトーンに応答して、第１の方向に、および前記第２のトーンに応答して、反対方向に、流量を方向付ける、項目１２０に記載のデバイス。
（項目１２６）
前記電気信号入力に接続され、電気信号に応答して、音声信号（トーン）を産生することが可能な第２のトランスデューサをさらに備えている、項目１０２に記載のデバイス。
（項目１２７）
前記第１のトランスデューサは、前記音声信号に応答して、前記膨張型部材を膨張させるために音作動型ポンプを備え、前記第２のトランスデューサは、前記音声信号に応答して、前記膨張型部材を収縮させるために音作動型ポンプを備えている、項目１２６に記載のデバイス。
（項目１２８）
一方の端において前記第２のトランスデューサに、反対端によって前記膨張型部材に連結された第２の音響管をさらに備え、前記第２のトランスデューサからの音声信号は、前記音響管を通して前記ユーザの鼓膜に方向付けられる、項目１２６に記載のデバイス。
（項目１２９）
２つの端を有し、前記音響管の側壁において画定される通路を覆うある長さの材料をさらに備え、前記材料の少なくとも１つの端は、密閉を形成するために前記音響管に取り付けられている、項目１０２に記載のデバイス。
（項目１３０）
前記トランスデューサと前記音響管の側壁における通路との間に位置付けられた前記材料の端は、密閉を形成するために前記音響管に取り付けられている、項目１２９に記載のデバイス。
（項目１３１）
前記材料の両端は、密閉を形成するために前記音響管に取り付けられている、項目１２９に記載のデバイス。
（項目１３２）
前記材料は、ポートを備え、前記材料のポートは、前記音響管の前記通路からオフセットされている、項目１３１に記載のデバイス。
（項目１３３）
前記材料は、円筒形スリーブを備えている、項目１２９に記載のデバイス。
（項目１３４）
２つの端を有し、前記音響管の側壁において画定される複数のポートを覆う材料のスリーブをさらに備え、前記スリーブの少なくとも１つの端は、密閉を形成するために前記音響管に取り付けられている、項目１０９に記載のデバイス。
（項目１３５）
前記スリーブの両端は、密閉を形成するために前記音響管に取り付けられている、項目１３４に記載のデバイス。
（項目１３６）
前記スリーブは、ポートを備え、前記スリーブのポートは、前記音響管の側壁において画定される複数のポートからオフセットされている、項目１３５に記載のデバイス。
（項目１３７）
前記トランスデューサは、前記音声信号を受信し、それに応答して、空気流を産生するための音作動型ポンプを備えている、項目１３４に記載のデバイス。
（項目１３８）
前記空気流は、前記ユーザの外耳道から前記音響管の中へ、および前記通路を通って前記膨張型部材の中へ方向付けられる、項目１３７に記載のデバイス。
（項目１３９）
前記空気流は、前記膨張型部材を収縮させるために、前記膨張部材から前記通路を通して前記音響管の中へ方向付けられる、項目１３７に記載のデバイス。
（項目１４０）
前記膨張型部材の外側に延在する第１端と、前記膨張型部材の内部空間内の第２端とを有する空気入口管をさらに備え、前記空気入口管は、前記膨張型部材の内部空間と周囲との間で空気流を方向付ける、項目１０２、１０６、１０９、１２０、１２６、１２９、または１３４のうちのいずれかに記載のデバイス。
（項目１４１）
前記第２端を含む前記空気入口管の一部分は、前記音響管の側壁にチャネルを備えている、項目１４０に記載のデバイス。
（項目１４２）
前記第２端は、前記音響管の側壁における通路に隣接して位置付けられている、項目１４１に記載のデバイス。
（項目１４３）
前記空気入口管の第２端に流体連結されたリングマニホールドをさらに備えている、項目１４１に記載のデバイス。
（項目１４４）
前記リングマニホールドに流体連結された少なくとも１つの空気送達管をさらに備えている、項目１４３に記載のデバイス。
（項目１４５）
前記少なくとも１つの空気送達管は、前記音響管の側面における通路に隣接して位置付けられた端を有している、項目１４４に記載のデバイス。
（項目１４６）
前記空気送達管の数は、前記音響管の側面において画定されるポートの数に対応する、項目１４５に記載のデバイス。
（項目１４７）
前記リングマニホールドは、前記トランスデューサに接続された前記音響管の基部に位置付けられている、項目１４３に記載のデバイス。
（項目１４８）
前記リングマニホールドは、前記通路に隣接する前記音響管上に位置付けられている、項目１４３に記載のデバイス。
（項目１４９）
前記膨張型部材の外側に延在する第１端と、前記膨張型部材の内部空間内の第２端とを有する空気入口管をさらに備え、前記空気入口管は、前記膨張型部材と周囲との間で前記ポンプ空気流を方向付け、前記音声ポンプによって生成される空気流は、前記空気入口管内の線路抵抗よりも大きい圧力を有している、項目１２０に記載のデバイス。
（項目１５０）
前記膨張型部材内および前記ユーザの外耳道の空気圧は、前記空気入口管によって平衡を保たれる、項目１４９に記載のデバイス。
（項目１５１）
前記トランスデューサは、前記膨張型部材の外側で前記音響管に連結されている、項目１０２に記載のデバイス。
（項目１５２）
前記音響管の側壁において画定される複数のポートと、
音声信号に応答して、空気流を産生するための前記トランスデューサ内の音作動型ポンプと、
２つの端を有し、前記音響管の側壁において画定される複数のポートを覆う材料のスリーブであって、前記スリーブの少なくとも１つの端は、密閉を形成するために、前記音響管に取り付けられている、スリーブと、
前記膨張型部材の外側に延在する第１端と、前記膨張型部材の内部空間内の第２端とを有する空気入口管であって、前記空気入口管は、前記膨張型部材と周囲との間で空気流を方向付ける、空気入口管と
をさらに備えている、項目１５１に記載のデバイス。
（項目１５３）
前記空気入口管の第２端に流体連結されたリングマニホールドをさらに備えている、項目１５２に記載のデバイス。
（項目１５４）
前記トランスデューサは、前記膨張型部材の内部空間内に部分的に含まれている、項目１０２に記載のデバイス。
（項目１５５）
前記音響管の側壁において画定される複数のポートと、
音声信号に応答して、空気流を産生するための前記トランスデューサ内の音作動型ポンプと、
２つの端を有し、前記音響管の側壁において画定される複数のポートを覆う材料のスリーブであって、前記スリーブの少なくとも１つの端は、密閉を形成するために、前記音響管に取り付けられている、スリーブと、
前記膨張型部材の外側に延在する第１端と、前記膨張型部材の内部空間内の第２端とを有する空気入口管であって、前記空気入口管は、前記膨張型部材と周囲との間で空気流を方向付ける、空気入口管と
をさらに備えている、項目１５４に記載のデバイス。
（項目１５６）
前記空気入口管の第２端に流体連結されたリングマニホールドをさらに備えている、項目１５５に記載のデバイス。
（項目１５７）
前記膨張型部材と周囲との間で空気流を方向付けるための空気入口管をさらに備え、前記空気入口管は、
前記膨張型部材の外側に延在する第１端と、
前記膨張型部材の内部空間内の第２端と、
前記音響管の側壁内に画定され、一方の端において前記第２端に流体連結された少なくとも１つの溝と
を備えている、項目１０２に記載のデバイス。
（項目１５８）
前記トランスデューサおよび前記音響管は、前記膨張型部材の内部空間内に位置付けられている、項目１５７に記載のデバイス。
（項目１５９）
前記トランスデューサは、前記膨張型部材の外部上に位置付けられ、前記音響管は、前記膨張型部材の壁を通過する、項目１５７に記載のデバイス。
（項目１６０）
前記トランスデューサは、前記膨張型部材内に部分的に封入されている、項目１５７に記載のデバイス。
（項目１６１）
前記溝の端は、前記音響管の側壁における通路に隣接して位置付けられている、項目１５７に記載のデバイス。
（項目１６２）
２つの端を有し、前記音響管の側壁における通路を覆う材料のスリーブをさらに備え、前記スリーブの少なくとも１つの端は、密閉を形成するために、前記音響管に取り付けられている、項目１６１に記載のデバイス。
（項目１６３）
前記スリーブの両端は、密閉を形成するために前記音響管に取り付けられている、項目１６２に記載のデバイス。
（項目１６４）
前記スリーブは、ポートを備え、前記スリーブのポートは、前記音響管の側壁における通路からオフセットされている、項目１６３に記載のデバイス。
（項目１６５）
前記空気入口管の第２端を前記溝の端に流体連結するリングマニホールドをさらに備えている、項目１５７または１６２に記載のデバイス。
（項目１６６）
前記音響管は、前記側壁において画定される複数のポートと、前記リングマニホールドを通して前記空気入口管の第２端に流体連結された複数の溝とを備えている、項目１６５に記載のデバイス。
（項目１６７）
前記溝の数は、前記音響管の側壁において画定されるポートの数に対応している、項目１６６に記載のデバイス。
（項目１６８）
前記リングマニホールドは、前記トランスデューサに接続された前記音響管の基部に位置付けられている、項目１６５に記載のデバイス。
（項目１６９）
前記リングマニホールドは、前記音響管における通路に隣接して前記音響管上に位置付けられている、項目１６５に記載のデバイス。
（項目１７０）
前記ポートの数および前記溝の数は、２から１２の範囲である、項目１６７に記載のデバイス。
（項目１７１）
前記ポートの数および前記溝の数は、６である、項目１７０に記載のデバイス。
（項目１７２）
前記溝は、前記音響管の外面上でらせん状に配置されている、項目１７０に記載のデバイス。
（項目１７３）
前記らせん状に配置された溝は、右らせん、左らせん、または両方のうちの１つを形成する、項目１７２に記載のデバイス。
（項目１７４）
音声をユーザの耳に伝達するためのデバイスであって、
電気信号に応答して、音声信号（トーン）を産生することが可能な第１のトランスデューサと、
前記トランスデューサに接続された電気信号入力と、
内部空間を画定する側壁を有し、ユーザの外耳道内に位置付けるように構成された膨張型部材と、
側壁および２つの対向端を有する第１の音響管であって、前記第１の音響管は、一方の端において前記トランスデューサに接続され、前記膨張型部材の内部空間内の反対端において開放し、前記側壁において通路を有し、前記通路は、前記膨張型部材の内部空間内に位置付けられている、第１の音響管と、
前記膨張型部材の外側に延在する第１端と、前記膨張型部材の内部空間内の第２端とを有する空気入口管であって、前記空気入口管は、前記膨張型部材の内部空間と周囲との間で空気流を方向付ける、空気入口管と
を備えている、デバイス。
（項目１７５）
前記通路は、前記側壁において画定される少なくとも１つのポートを備えている、項目１７４に記載のデバイス。
（項目１７６）
前記ポートの数は、２から１２の範囲である、項目１７５に記載のデバイス。
（項目１７７）
前記ポートの数は、６である、項目１７６に記載のデバイス。
（項目１７８）
前記ポートは、前記管の縦軸に対して直角な単一の平面内で、前記管の側壁の周囲で均等に離間されている、項目１７７に記載のデバイス。
（項目１７９）
前記トランスデューサは、第１のトーンおよび第２のトーンを産生する、項目１７４に記載のデバイス。
（項目１８０）
前記第１のトーンおよび前記第２のトーンは、交互に産生される、項目１７９に記載のデバイス。
（項目１８１）
前記第１のトーンおよび前記第２のトーンは、同時に産生される、項目１７９に記載のデバイス。
（項目１８２）
前記トランスデューサは、前記第１のトーンまたは前記第２のトーンのうちの少なくとも１つを受信し、それに応答して、空気流を産生するための音作動型ポンプを備えている、項目１８１に記載のデバイス。
（項目１８３）
前記トランスデューサは、前記音声信号を受信し、それに応答して、空気流を産生するための音作動型ポンプを備えている、項目１７４に記載のデバイス。
（項目１８４）
前記音声ポンプは、前記第１のトーンに応答して、第１の方向に、および前記第２のトーンに応答して、反対方向に、流量を方向付ける、項目１８３に記載のデバイス。
（項目１８５）
２つの端を有し、前記音響管の側壁において画定される複数のポートを覆う材料のスリーブをさらに備え、前記スリーブの少なくとも１つの端は、密閉を形成するために前記音響管に取り付けられている、項目１７５に記載のデバイス。
（項目１８６）
前記スリーブの両端は、密閉を形成するために前記音響管に取り付けられている、項目１８５に記載のデバイス。
（項目１８７）
前記スリーブは、ポートを備え、前記スリーブのポートは、前記音響管の側壁において画定される複数のポートからオフセットされている、項目１８６に記載のデバイス。
（項目１８８）
前記空気入口管の一部分は、前記音響管の側壁におけるチャネルを備えている、項目１７４に記載のデバイス。
（項目１８９）
前記空気入口管に流体連結されたリングマニホールドをさらに備えている、項目１７４に記載のデバイス。
（項目１９０）
前記空気入口管は、前記リングマニホールドに流体連結された複数の空気送達管を備えている、項目１８９に記載のデバイス。
（項目１９１）
前記音響管を前記トランスデューサに取り外し可能に接続するために、連結機構をさらに備えている、項目１０２または１７４のうちの１項に記載のデバイス。
（項目１９２）
前記連結機構は、連結された場合に、前記音響管を前記トランスデューサに固定するための係止機構を備えている、項目１９１に記載のデバイス。
（項目１９３）
前記連結機構は、前記トランスデューサに取り付けられている第１の構成要素と、前記音響管に取り付けられている第２の構成要素とを備え、前記第１および第２の構成要素は、接続可能である、項目１９１に記載のデバイス。
（項目１９４）
前記音響管は、前記膨張型膜の内部空間の外側で前記連結機構に隣接して終端する空気入口管を備えている、項目１９１に記載のデバイス。
（項目１９５）
前記連結機構は、内周を有する第１のリングと、外周を有する第２のリングと備え、前記第２のリングの外周は、前記第１のリングの内周内に嵌まる、項目１９１に記載のデバイス。
（項目１９６）
前記第１および第２のリングは、前記デバイスの特定の特性を示すようにコード化されている、項目１９５に記載のデバイス。
（項目１９７）
前記第１および第２のリングは、色分けされる、項目１９６に記載のデバイス。
（項目１９８）
前記第１および第２のリングは、キーでコード化されている、項目１９６に記載のデバイス。
（項目１９９）
前記第１および第２のリングは、キーでコード化されている、項目１９７に記載のデバイス。
（項目２００）
前記第１または第２のリングのうちの一方は、硬質材料から成り、前記第１または第２のリングのうちの他方は、可撓性材料から成る、項目１９６に記載のデバイス。
（項目２０１）
前記第２のリングは、前記第１のリング内に摩擦嵌めする、項目１９６に記載のデバイス。
（項目２０２）
前記第２のリングは、前記外周の周囲にねじ切りされ、前記第１のリングは、前記内周の周囲に対応してねじ切りされ、前記リングが螺合可能に係合されることを可能にする、項目１９６に記載のデバイス。
（項目２０３）
前記音響管に連結された外部音声デバイスをさらに備え、前記外部音声デバイスは、トーンを発することにより、前記膨張型部材を膨張または収縮させる、項目１０２または１７４のうちのいずれかに記載のデバイス。
（項目２０４）
前記膨張型部材の膨張または収縮中に前記音響管を閉鎖するための弁をさらに備えている、項目２０３に記載のデバイス。
（項目２０５）
前記トーンは、膨張中に起動トーンを含む、項目２０３に記載のデバイス。
（項目２０６）
前記トーンは、収縮中に動作停止トーンを含む、項目２０３に記載のデバイス。
（項目２０７）
前記トーンは、不可聴である、項目２０３に記載のデバイス。
（項目２０８）
前記膨張型部材を膨張させるための外部ポンプをさらに備えている、項目１０２または１７４のうちのいずれかに記載のデバイス。
（項目２０９）
前記外部ポンプは、前記膨張型部材を収縮させるように動作する、項目２０８に記載のデバイス。
（項目２１０）
前記外部ポンプは、シリンジポンプを備えている、項目２０８に記載のデバイス。
（項目２１１）
前記外部ポンプは、シリンジポンプを備えている、項目２０９に記載のデバイス。
（項目２１２）
前記外部ポンプは、ダイヤフラムポンプを備えている、項目２０８に記載のデバイス。
（項目２１３）
前記外部ポンプは、ダイヤフラムポンプを備えている、項目２０９に記載のデバイス。
（項目２１４）
前記外部ポンプは、手動で操作される、項目２０８に記載のデバイス。
（項目２１５）
前記外部ポンプは、手動で操作される、項目２０９に記載のデバイス。
（項目２１６）
前記ユーザの外耳道の中の密閉の損失を克服するためのフィードバック制御をさらに備えている、項目１０２または１７４のうちのいずれかに記載のデバイス。
（項目２１７）
前記フィードバック制御は、ハードウェア（電子機器）を備えている、項目２１６に記載のデバイス。
（項目２１８）
前記フィードバック制御は、ソフトウェアを備えている、項目２１６に記載のデバイス。
（項目２１９）
前記フィードバック制御は、前記膨張型部材への空気流を増加させる音声信号を備えている、項目２１６に記載のデバイス。
（項目２２０）
前記膨張型部材は、ある量の空気を含むために、外壁と、外壁に少なくとも部分的に密閉された内壁とを備えている、項目１０２または１７４のうちのいずれかに記載のデバイス。
（項目２２１）
前記膨張型部材は、前記外壁を前記内壁に接続するスペーサリブをさらに備えている、項目２２０に記載のデバイス。
（項目２２２）
前記スペーサリブは、前記膨張型部材内で縦方向に配置されている、項目２２１に記載のデバイス。
（項目２２３）
前記スペーサリブは、前記膨張型部材内で横方向に配置されている、項目２２１に記載のデバイス。
（項目２２４）
前記スペーサリブは、前記膨張型部材内でらせん状に配置されている、項目２２１に記載のデバイス。
（項目２２５）
前記トランスデューサは、前記膨張型部材の内部空間内に位置付けられている、項目２２０に記載のデバイス。
（項目２２６）
前記外壁および前記内壁のうちの少なくとも１つは、異方性材料から成る、項目２２０に記載のデバイス。
（項目２２７）
前記外壁および前記内壁のうちの少なくとも１つは、等方性材料から成る、項目２２０に記載のデバイス。
（項目２２８）
前記外壁および前記内壁のうちの１つは、異方性材料から成る、項目２２７に記載のデバイス。
（項目２２９）
前記膨張型部材は、選択された機能特性を最適化するために、材料で被覆される、項目２２０に記載のデバイス。
（項目２３０）
前記被覆材料は、ポリマーラテックスを含む、項目２２９に記載のデバイス。
（項目２３１）
前記ポリマーラテックスは、ポリウレタンラテックスを含む、項目２３０に記載のデバイス。
（項目２３２）
前記ポリウレタンラテックスは、水溶性である、項目２３１に記載のデバイス。
（項目２３３）
前記被覆材料は、ヒュームドシリカを含む、項目２２９に記載のデバイス。
（項目２３４）
前記膨張型部材は、最適化された機能特性に対応するようにコード化されている、項目２２９に記載のデバイス。
（項目２３５）
前記膨張型部材は、最適化された機能特性に対応するように色分けされる、項目２３０に記載のデバイス。
（項目２３６）
前記膨張型部材の後部セクションは、音の伝達の遮断を最適化するために被覆される、項目２２９に記載のデバイス。
（項目２３７）
前記膨張型部材の中間セクションは、密閉特性を最適化するために被覆される、項目２２９に記載のデバイス。
（項目２３８）
前記膨張型部材の前部セクションは、音響特性を最適化するために被覆される、項目２２９に記載のデバイス。
（項目２３９）
前記膨張型部材の外面は、勾配において最適化された特性を提供するために被覆される、項目２２９に記載のデバイス。
（項目２４０）
前記外壁および前記内壁のうちの少なくとも１つは、発泡ポリテトラフルオロエチレン（ｅＰＴＦＥ）から成る、項目２２０に記載のデバイス。
（項目２４１）
前記発泡ポリテトラフルオロエチレンは、ポリウレタンラテックスが注入される、項目２４０に記載のデバイス。
（項目２４２）
前記外壁および前記内壁のうちの少なくとも１つは、ポリウレタンから成る、項目２２０に記載のデバイス。
（項目２４３）
前記膨張型部材は、閉鎖凸状気泡形状を備えている、項目２２０に記載のデバイス。
（項目２４４）
前記外壁および内壁は、約１０ｍｉｌ（０．２５４ｍｍ）未満の厚さを有している、項目２２０に記載のデバイス。
（項目２４５）
前記外壁および内壁は、約３ｍｉｌ（０．０７６２ｍｍ）未満の厚さを有している、項目２４４に記載のデバイス。
（項目２４６）
前記外壁および内壁は、約１ｍｉｌ（０．０２５４ｍｍ）未満の厚さを有している、項目２４４に記載のデバイス。
（項目２４７）
前記外壁および内壁は、低い空気透過性を有する材料から成る、項目２２０に記載のデバイス。
（項目２４８）
前記材料は、約０．５から約１．０ミクロンの範囲の直径を有する細孔を備えている、項目２４７に記載のデバイス。
（項目２４９）
前記材料は、わずか約０．５ミクロンの直径を有する細孔を備えている、項目２４７に記載のデバイス。
（項目２５０）
表面によって画定される内部空間と、前記内部空間内で前記表面に取り付けられたフェルールとを有する膨張型部材と、
第１および第２端を有し、前記内部空間内に位置付けられた音響管であって、一方の端において前記フェルールに連結された音響管と、
前記音響管の端に接続された連結器であって、前記連結器を前記膨張型部材に接続する弾性バンドを有する連結器と、
各端で開放した加圧管、前記膨張型部材の外側から前記膨張型部材の内部空間まで前記連結器を通過する加圧管と
を備えている、耳用デバイス。
（項目２５１）
受信機アセンブリをさらに備え、
筐体と、
前記筐体を通過し、前記膨張型部材の外側の前記加圧管の端に連結するポートを有するチャネルと、
前記連結器に取り外し可能に接続する音声ポートと、
前記筐体の中に位置付けられ、前記音声ポートに接続された受信機と、
前記筐体から延在する電気および圧力インターフェースポートであって、オーディオデバイスに接続するための電気および圧力インターフェースポートと
を備えている、項目２５０に記載の耳用デバイス。
（項目２５２）
前記オーディオデバイスは、補聴器である、項目２５１に記載の耳用デバイス。
（項目２５３）
前記電気および圧力インターフェースポートに取り外し可能に接続されたポンプアセンブリをさらに備えている、項目２５１に記載の耳用デバイス。
（項目２５４）
前記電気および圧力インターフェースポートに取り外し可能に接続されたプロセッサをさらに備えている、項目２５１に記載の耳用デバイス。
（項目２５５）
前記第２の管状セクションは、前記第１の管状セクションの中へ後退可能である、項目１０５に記載のデバイス。
（項目２５６）
前記第１の管状セクションに接触する第１端と、前記第２の管状セクションに接触する第２端とを有するポリマースリーブをさらに備えている、項目１０６に記載のデバイス。
（項目２５７）
前記スリーブは、前記第１の管状セクションと密閉を形成する、項目２５６に記載のデバイス。
（項目２５８）
前記スリーブは、前記第２の管状セクションと密閉を形成する、項目２５６に記載のデバイス。
（項目２５９）
前記スリーブは、前記第２の管状セクションと密閉を形成する、項目２５７に記載のデバイス。
（項目２６０）
前記スリーブは、ポートを備えている、項目２５９に記載のデバイス。
（項目２６１）
前記膨張型部材を前記トランスデューサに取り外し可能に接続するために、前記音響管に取り付けられた連結器をさらに備えている、項目１０２、１０５、１５１、１５４、または１７４に記載のデバイス。
（項目２６２）
前記連結器は、係止機構を備えている、項目２６１に記載のデバイス。
（項目２６３）
前記連結器は、前記音響管に取り付けられた第１の部分と、前記音響管に取り付けられた第２の部分とを備え、前記２つの部分は、対応してコード化されている、項目２６１に記載のデバイス。
（項目２６４）
前記連結器の前記部分は、色分けされている、項目２６３に記載のデバイス。
（項目２６５）
前記部品は、キーでコード化されている、項目２６３に記載のデバイス。
（項目２６６）
外側筐体であって、前記外側筐体の中に前方容積を画定する、外側筐体と、
前記外側筐体内にあり、後方容積を取り囲む内側筐体と、
前記内側筐体内に位置付けられた平衡電機子と、
前記電機子の１つのアームの周囲の電気コイルであって、前記コイルを通る電流がアームの振動をもたらす、電気コイルと、
前記内側筐体の壁の中に位置付けられた可撓性ダイヤフラムであって、前記前方容積と前記後方容積とを分離し、前記アームと一致して振動するように前記アームに連結された可撓性ダイヤフラムと、
前記内側筐体の壁内に画定される均等化ポートと、
前記外側筐体の壁において画定される入口ポートであって、前記筐体の中へ空気を引き込むための入口ポートと、
前記外側筐体の壁において画定される出口ポートであって、前記筐体から空気を排出するための出口ポートと
を備え、
前記ダイヤフラムの振動は、前記入口ポートの中へ、前記均等化ポートを通り、そして前記出口ポートの外への流体流動を引き起こす、
平衡電機子トランスデューサポンプ。
（項目２６７）
前記均等化ポートは、前記ダイヤフラム内に位置付けられている、項目２６６に記載の平衡電機子トランスデューサポンプ。
（項目２６８）
前記均等化ポートは、円錐形のくぼみを備えている、項目２６７に記載の平衡電機子トランスデューサポンプ。
（項目２６９）
前記電機子のアームは、非対称波形で振動する、項目２６６に記載の平衡電機子トランスデューサポンプ。
（項目２７０）
前記電機子のアームは、非対称波形で振動する、項目２６８に記載の平衡電機子トランスデューサポンプ。
（項目２７１）
前記波形は、下降部分よりも長い上昇部分を有している、項目２６９に記載の平衡電機子トランスデューサポンプ。
（項目２７２）
前記波形は、可逆的である、項目２７１に記載の平衡電機子トランスデューサポンプ。
（項目２７３）
前記入口ポートを覆うフラップ弁をさらに備え、前記フラップ弁は、空気が前記ポートを通って逆転することを防止する、項目２６６に記載の平衡電機子トランスデューサポンプ。
（項目２７４）
前記入口ポート内に位置付けられた同軸ダイアフォニック弁をさらに備えている、項目２６６に記載の平衡電機子トランスデューサポンプ。
（項目２７５）
前記入口ポート内に位置付けられた同軸ダイアフォニック弁をさらに備えている、項目２６７に記載の平衡電機子トランスデューサポンプ。
（項目２７６）
前記内側筐体の前記後方容積内に位置付けられたダイアフォニック弁をさらに備えている、項目２６６に記載の平衡電機子トランスデューサポンプ。
（項目２７７）
前記内側筐体の前記後方容積の中に空間充填材料をさらに備えている、項目２６６に記載の平衡電機子トランスデューサポンプ。
（項目２７８）
前記ダイヤフラムと前記平衡電機子との間に位置付けられた前記後方容積内の仕切りをさらに備えている、項目２６６に記載の平衡電機子トランスデューサポンプ。
（項目２７９）
前記入口ポートは、前記仕切りの前記ダイヤフラム側において、前記筐体の壁にある、項目２７８に記載の平衡電機子トランスデューサポンプ。
（項目２８０）
前記ダイヤフラムは、ピンを介して前記アームに連結されている、項目２６６に記載の平衡電機子トランスデューサポンプ。
（項目２８１）
筐体であって、前記筐体において画定される開口部を有する筐体と、
前記筐体内に位置付けられた第１の基材であって、前記基材は、前記基材を通るオリフィスを有し、前記オリフィスは、前記筐体の開口部と整列している、第１の基材と、
前記オリフィスに近接して位置付けられた第１端と、前記筐体を通過する本体と、周囲に開放している第２端とを有する入口管と、
音源に取り付く連結器と、
前記連結器において取り付けられた音源と、前記基材の前記オリフィスとの間の流体連通を提供する通路と
を備えている、音作動型ポンプ。
（項目２８２）
前記オリフィスは、前記通路の近位に円錐形を有している、項目２８１に記載の音作動型ポンプ。
（項目２８３）
前記入口管は、前記第１の基材を通過する、項目２８１に記載の音作動型ポンプ。
（項目２８４）
前記入口管は、前記第１の基材の遠位にある、項目２８１に記載の音作動型ポンプ。
（項目２８５）
前記入口管は、前記第１の基材の近位にある、項目２８１に記載の音作動型ポンプ。
（項目２８６）
前記オリフィスに近接して前記筐体の開口部の中に位置付けられ、前記筐体から延在する出口管をさらに備えている、項目２８１に記載の音作動型ポンプ。
（項目２８７）
前記出口管と同軸であり、膨張型部材に連結するために好適な管をさらに備えている、項目２８６に記載の音作動型ポンプ。
（項目２８８）
前記第１の基材の近位で前記筐体内に位置付けられた第２の基材をさらに備え、前記第２の基材は、前記第２の基材を通るオリフィスを有し、前記オリフィスは、前記第１の基材のオリフィスと整列している、項目２８１に記載の音作動型ポンプ。
（項目２８９）
前記入口管は、前記第２の基材を通過する、項目２８８に記載の音作動型ポンプ。
（項目２９０）
前記入口管は、前記第２の基材の近位にある、項目２８８に記載の音作動型ポンプ。
（項目２９１）
前記第１および第２の基材の間に位置付けられた膜をさらに備え、前記膜は、前記膜に画定される少なくとも１つのオリフィスを有している、項目２８８に記載の音作動型ポンプ。
（項目２９２）
前記連結器に流体連結された音源をさらに備えている、項目２８１に記載の音作動型ポンプ。
（項目２９３）
前記音源は、前記基材のオリフィスの遠位端において静圧を産生する音響波を産生する、項目２９２に記載の音作動型ポンプ。
（項目２９４）
音響的振動を使用して静圧を産生する方法であって、
筐体に流体連結された音源を提供するステップであって、
前記筐体は、
前記筐体を通る開口部と、
基材であって、前記基材におけるオリフィスを有し、前記オリフィスは、前記筐体の開口部と整列している、基材と、
入口管であって、前記入口管は、前記オリフィスに近接して位置付けられた第１端と、周囲に開放している第２端とを有している、入口管と
を備えている、ステップと、
前記基材において前記音源から音響波を方向付けるステップと、
を含む、方法。
（項目２９５）
前記筐体の開口部において膨張型部材を取り付けるステップをさらに含む、項目２９４に記載の方法。
（項目２９６）
前記筐体の開口部において出口管を取り付けるステップをさらに含む、項目２９４に記載の方法。
（項目２９７）
膨張型部材を前記出口管の端に取り付けるステップをさらに含む、項目２９６に記載の方法。
（項目２９８）
ユーザの耳に音を伝えるためのインイヤ式デバイスであって、
音声発生源と、
前記音声発生源に連結され、前記音声発生源からの音響信号に応答して、静圧を生成することが可能な第１のトランスデューサと、
前記音声発生源に連結され、前記音声発生源からの音響信号に応答して、静圧を生成することが可能な第２のトランスデューサと、
前記第１および第２のトランスデューサのうちの少なくとも１つの出力に流体連結された膨張型部材と
を備えている、インイヤ式デバイス。
（項目２９９）
前記第１および第２のトランスデューサは、平衡電機子トランスデューサまたは可動コイルスピーカのいずれかである、項目２９８に記載のインイヤ式デバイス。
（項目３００）
前記膨張型部材を前記第１のトランスデューサ、前記第２のトランスデューサ、または両方のうちの１つに連結する音響管をさらに備えている、項目２９８に記載のインイヤ式デバイス。
（項目３０１）
前記トランスデューサのうちの少なくとも１つに連結されたダイアフォニック弁をさらに備えている、項目２９８に記載のインイヤ式デバイス。
（項目３０２）
前記ダイアフォニック弁は、
トランスデューサの筐体の開口部に流体連結された入口チャネルを画定する第１の層と、
前記入口チャネルに流体連結されたシンジェットポートを画定する第２の層と、
前記シンジェットポートを覆うフラップ弁を含む膜を有する第３の層と、
前記シンジェットポートに流体連結された出口ポートを画定する第４の層と
を備えている、項目３０１に記載のインイヤ式デバイス。
（項目３０３）
前記第１および第２のトランスデューサは、前記膨張型部材内に完全に封入されている、項目２９８に記載のインイヤ式デバイス。
（項目３０４）
前記音声発生源は、前記膨張型部材内に完全に封入されている、項目３０３に記載のインイヤ式デバイス。
（項目３０５）
前記第１および第２のトランスデューサは、前記膨張型部材内に部分的に封入されている、項目２９８に記載のインイヤ式デバイス。
（項目３０６）
前記音声発生源は、前記膨張型部材内に部分的に封入されている、項目３０５に記載のインイヤ式デバイス。
（項目３０７）
前記第１および第２のトランスデューサ、ならびに前記ダイアフォニック弁は、前記膨張型部材内に完全に封入されている、項目３０２に記載のインイヤ式デバイス。
（項目３０８）
前記第１および第２のトランスデューサ、ならびに前記ダイアフォニック弁は、前記膨張型部材内に部分的に封入されている、項目３０２に記載のインイヤ式デバイス。
（項目３０９）
前記ダイアフォニック弁は、前記第３の層と前記第４の層との間に位置付けられた第５および第６の層をさらに備え、
前記第５の層は、前記第３の層の前記フラップ弁からオフセットされた前記第５の層において画定された逆止め弁ポートを有し、
前記第６の層は、可撓性膜と、前記第５の層の逆止め弁ポートからオフセットされた前記第６の層において画定された逆止め弁ポートとを有している、
項目３０２に記載のインイヤ式デバイス。
（項目３１０）
前記シンジェットポートおよび前記逆止め弁ポートは、隆起した縁を有している、項目３０９に記載のインイヤ式デバイス。
（項目３１１）
ユーザの耳に音を伝えるためのインイヤ式デバイスであって、
音声発生源と、
前記音声発生源に連結され、前記音声発生源からの音響信号に応答して、静圧を生成することが可能な第１のトランスデューサと、
前記第１のトランスデューサの出力に流体連結された膨張型部材と、
を備えている、インイヤ式デバイス。
（項目３１２）
前記音声発生源に連結され、前記音声発生源からの音響信号に応答して、静圧を生成することが可能な第２のトランスデューサをさらに備えている、項目３１１に記載のインイヤ式デバイス。
（項目３１３）
前記第１および第２のトランスデューサは、平衡電機子トランスデューサまたは可動コイルスピーカのいずれかである、項目３１１に記載のインイヤ式デバイス。
（項目３１４）
前記膨張型部材を前記第１のトランスデューサに連結する音響管をさらに備えている、項目３１１に記載のインイヤ式デバイス。
（項目３１５）
前記第１のトランスデューサに連結されたダイアフォニック弁をさらに備えている、項目３１１に記載のインイヤ式デバイス。
（項目３１６）
前記ダイアフォニック弁は、
前記第１のトランスデューサの筐体の開口部に流体連結された入口チャネルを画定する、第１の層と、
前記入口チャネルに流体連結されたシンジェットポートを画定する第２の層と、
前記シンジェットポートを覆うフラップ弁を含む膜を有する第３の層と、
前記シンジェットポートに流体連結された出口ポートを画定する第４の層と
を備えている、項目３１５に記載のインイヤ式デバイス。
（項目３１７）
前記第１のトランスデューサは、前記膨張型部材内に完全に封入されている、項目３１１に記載のインイヤ式デバイス。
（項目３１８）
前記音声発生源は、前記膨張型部材内に完全に封入されている、項目３１７に記載のインイヤ式デバイス。
（項目３１９）
前記第１のトランスデューサは、前記膨張型部材内によって部分的に封入されている、項目３１１に記載のインイヤ式デバイス。
（項目３２０）
前記音声発生源は、前記膨張型部材内に部分的に封入されている、項目３１９に記載のインイヤ式デバイス。
（項目３２１）
前記第１のトランスデューサおよび前記ダイアフォニック弁は、前記膨張型部材内に完全に封入されている、項目３１６に記載のインイヤ式デバイス。
（項目３２２）
前記第１のトランスデューサおよび前記ダイアフォニック弁は、前記膨張型部材内に部分的に封入されている、項目３１６に記載のインイヤ式デバイス。
（項目３２３）
前記ダイアフォニック弁は、前記第３の層と前記第４の層との間に位置付けられた第５および第６の層をさらに備え、
前記第５の層は、前記第３の層の前記フラップ弁からオフセットされた前記第５の層に画定された逆止め弁ポートを有し、
前記第６の層は、可撓性膜と、前記第５の層の前記逆止め弁ポートからオフセットされた前記第６の層に画定された逆止め弁ポートとを有している、
項目３１６に記載のインイヤ式デバイス。
（項目３２４）
前記シンジェットポートおよび前記逆止め弁ポートは、隆起した縁を有している、項目３２３に記載のインイヤ式デバイス。
（項目３２５）
前記膨張型部材は、複数の横方向に整列した膨張型管を備えている、項目２９８に記載のインイヤ式デバイス。
（項目３２６）
前記管は、３次元楕円形態で縦方向に相互に密閉されている、項目３２５に記載のインイヤ式デバイス。
（項目３２７）
膨張型管の数は、４から４０の範囲である、項目３２５に記載のインイヤ式デバイス。
（項目３２８）
膨張型管の数は、６から２０の範囲である、項目３２７に記載のインイヤ式デバイス。
（項目３２９）
前記膨張型部材は、複数の横方向に整列した膨張型管を備えている、項目３１１に記載のインイヤ式デバイス。
（項目３３０）
前記管は、３次元楕円形態で縦方向に相互に密閉されている、項目３２９に記載のインイヤ式デバイス。
（項目３３１）
膨張型管の数は、４から４０の範囲である、項目３２９に記載のインイヤ式デバイス。
（項目３３２）
膨張型管の数は、６から２０の範囲である、項目３３１に記載のインイヤ式デバイス。